(57)【特許請求の範囲】
【請求項１】
交流電源で駆動される負荷と；
トリガパルスの有無に応じてオンオフして前記交流電源より前記負荷に供給する駆動電流を制御するためのスイッチ手段と；
前記交流電源の電圧を半波整流する整流部を備え、整流電圧に基づいて安定化直流電圧を得る電源部と；
前記整流郁からの半被整流電圧に同期した同期パルスを発生する電源同期部と；を備え、
前記電源同期部からの同期パルスに同期した第１のパルスを出力すると共に、前記交流電源の電源周波数として複数の異なった電源周波数がある場合、前記第１のパルスの立ち上がりから短い周期の電源周波数の略１／２周期である所定期間後に立ち上がるとともに、複数の異なった電源周波数の略半波時間後全てに亘る長めのパルス幅を有した第２のパルスを出力し、これら第１，第２のパルスを交互のトリガパルスとして前記スイッチ手段を駆動するパルス発生部を備えた制御部と；
を具備したことを特徴とする電源装置。
【請求項２】
交流電源で駆動される負荷と；
トリガパルスの有無に応じてオンオフして前記交流電源より前記負荷に供給する駆動電流を制御ずるためのスイッチ手段と；
前記交流電源の電圧を半波整流する整流部を備え、整流電圧に基づいて安定化直流電圧を得る電源部と；
前記整流部からの半波整流電圧に同期した同期パルスを発生する電源同期部と；を備え、
前記電源同期部からの同期パルスに同期した第１のパルスを出力すると共に、前記交流電源の電源周波数として複数の異なった電源周波数がある場合、前記第１のパルスの立ち上がりから短い周期の電源周波数の略１／２周期である所定期間後に立ち上がるとともに、複数の異なった電源周波数の複数の異なった電源周波数の略半波時間後の全てに亘る時間付近で複数個の第２のパルスを出力し、これら第１，第２のパルスを交互のトリガパルスとして前記スイッチ手段を駆動するパルス発生部を備えた制御部と；
を具備したことを特徴とする電源装置。
【請求項３】
交流電源で駆動される負荷と；
トリガパルスの有無に応じてオンオフして前記交流電源より前記負荷に供給する駆動電流を制御するためのスイッチ手段と；
前記交流電源の電圧を半波整流する整流部を備え、整流電圧に基づいて安定化直流電圧を得る電源部と；
前記整流部からの半波整流電圧に同期した同期パルスを発生する電源同期部と；を備え、
前記電源同期部からの同期パルスに同期した第１のパルスを出力すると共に、前記交流電源の電源周波数として複数の異なった電源周波数がある場合、前記第１のパルスの立ち上がりから短い周期の電源周波数の略１／２周期である所定期間後に立ち上がるとともに、複数の異なった電源周波数のそれぞれの略半波時間後の時間付近で各１個ずつの複数の第２のパルスを出力し、これら第１，第２のパルスを交互のトリガパルスとして前記スイッチ手段を駆動するパルス発生部を備えた制御部と；
を具備したことを特徴とする電源装置。
【請求項４】
前記負荷は電球であって、該電球の電源装置として請求項１〜３のいずれか１つに記載の電源装置を用いたことを特徴とする点灯装置。
【請求項５】
請求項４記載の点灯装置と；
この点灯装置における電球が装着される照明器具本体と；
を具備したことを特徴とする照明装置。
【発明の詳細な説明】
【０００１】
【発明の属する技術分野】
本発明は、交流電源より負荷に供給する駆動電流を半導体スイッチ手段で制御する際に、電力ロスを少なくできかつ電源波形が歪んだ場合でも安定した制御を行え、しかも部品点数を少なくすることができる電源装置、点灯装置及び照明装置に関する。
【０００２】
【従来の技術】
近年、白熱電球や蛍光ランプ等を遠隔制御することが可能な調光式の照明装置が使用されるようになっている。
【０００３】
例えば、調光式遠隔制御蛍光ランプ装置では、蛍光ランプのほかに、常夜灯としての豆球を備えているものが一般的であり、家庭用照明装置として広く用いられている。
【０００４】
このような豆球付きの調光式遠隔制御照明装置では、蛍光ランプのオンオフ及び調光制御のほかに、豆球自体のオンオフもリモコンによる遠隔制御がなされる。このため、このような照明装置の豆球については、遠隔操作に基づいて照明装置内の制御部が半導体スイッチ等のスイッチ手段を制御することにより、負荷である豆球をオンオフ制御するよう構成となっている。
【０００５】
図１１は、上記のような豆球付きの調光式遠隔制御照明装置に用いられる電源装置を示している。
【０００６】
図１１において、符号１は、商用交流電源であり、日本国内にあっては電圧（実効値）が１００Ｖで電源周波数が５０Ｈz又は６０Ｈzのものが一般的である。交流電源１からの２本の電源ラインの一方はトライアック等の半導体スイッチで構成されるスイッチ手段２を介して負荷３の一方の端子３ａに接続されている。負荷３としては、豆球等の電球が用いられる。また、交流電源１からの２本の電源ラインのもう一方（即ちアースライン）は電源部４を介して負荷３のもう一方の端子３ｂに接続されている。
【０００７】
電源部４は、交流電源１の電圧を全波整流する整流部を備え、その整流電圧に基づいて安定化直流電圧を得る構成となっている。電源同期部５は、電源部１内の整流部から全波整流電圧を入力し、その全波整流電圧波形がゼロクロス近傍まで下降したことを検出し、その検出タイミングに同期して同期パルス（即ち電源周期の１／２周期のパルス）を発生して、制御部６に供給している。
【０００８】
制御部６は、前記電源部４からの直流電圧を電源として動作し、電源同期部５からの同期パルスに同期したトリガパルス（オンパルス）を発生して、トライアックで構成される前記スイッチ手段２を電源周期の１／２周期（即ち、交流電源周波数が５０Ｈzの場合は１０mｓ、６０Ｈzの場合は約８．３mｓ）ごとにトリガすることにより、交流電源１から交流波形電圧を負荷３としての電球に供給して、点灯させる。なお、制御部６からのトリガパルスの出力タイミングをシフトすることにより、負荷３としての電球を調光制御することが可能であり、また制御部６から出力されるトリガパルスを停止させれば、スイッチ手段２が常時オフするので電球を消灯状態とすることができる。
【０００９】
次に、図１２の波形図を参照して、図１１の回路動作を説明する。
図１２において、（Ａ），（Ｃ），（Ｄ），（Ｇ）は交流電源（ＡＣ）１が５０Ｈz の場合の波形であり、（Ｂ），（Ｅ），（Ｆ），（Ｈ）は６０Ｈz の場合の波形である。交流電源（ＡＣ）１が例えば５０Ｈz の場合、電源部４の整流部から電源同期部５へ供給される全波整流電圧波形は、図１２（Ｃ）に示すようになり、電源同期部５からは図１２（Ｄ）に示すような電源周期の１／２周期の同期パルスが出力され、制御部６からはこの同期パルスに同期した図１２（Ｇ）に示すようなトリガパルスが出力される。このトリガパルスは、そのパルス幅が図１２（Ａ）に示す交流電源波形のゼロクロスからこれを所定幅越えた時間幅となっている。このトリガパルスにより、スイッチ手段２を構成するトライアックのゲートにゲート電流が供給されてスイッチ手段がオン状態となり、かつ交流電源電圧が正又は負の方向に山形状に増加するので、つぎのゼロクロスポイント近辺になるまでオン状態が維持され、そのゼロクロス直後に再びゲートトリガパルスが周期的に供給されるので、図示の例では、スイッチ手段２はほぼ常時オンし続け、負荷３には、常時、交流電源１からほぼ全期間の電源電圧が供給され、その結果、負荷３としての電球は全光（調光されない状態）で点灯し続ける。
【００１０】
６０Ｈz の場合も、図１２（Ｂ），（Ｄ），（Ｆ），（Ｈ）に示されるように電源周期が短くなるだけであり、上記の５０Ｈzの場合の動作と同様である。
【００１１】
上記のように全波で同期をとったトリガパルスでスイッチ手段２を駆動すれば、駆動に必要なゲート電流（駆動電流）が少なくて済む。即ち、スイッチ手段２としてのトライアックに、常時、駆動信号を供給し続ける場合の比べて、少ない駆動電流で同等のトライアック駆動を行え、電源部品も小さくて済む。しかしながら、上記構成では、ダイオードブリッジ等の部品数の多い全波整流回路が必要となりコスト高になると共に、整流部からの全波整流電圧に基づいて安定化直流電源を得ると、必要以上に電力ロスが多く装置内で不要な消費電流が多くなるという問題があった。これは、通常、制御部６などで必要とする電源としての直流電圧は、５Ｖ程度でよく、この程度の電圧は、交流１００Ｖを全波整流し安定化することにより得なくても、その代わりに交流１００Ｖを半波整流した後に安定化しても十分に安定した電圧５Ｖを得ることが可能であるためである。つまり、交流１００Ｖの全波整流電圧から直流５Ｖを得る場合は、全波整流電圧から得た高い直流電圧値を抵抗回路で分圧するなどして取り出す必要があり、電力ロスが大きいわけである。
【００１２】
そこで、電源部４の整流部における全波整流に代えて、半波整流を行うと、図１２（Ｃ），（Ｅ）の全波整流波形が半波となり、そのため電源同期部５からは交流電源の交流１周期に同期した同期パルス（これは全波整流時のパルス数の１／２となる）が出力され、この半減した同期パルスに同期したトリガパルスがスイッチ手段２に供給されるため、交流スイッチとしてのスイッチ手段２は交流全期間に亘ってオンすることがなくなり、負荷３としての電球は点滅することになり、点灯装置としての性能を損なうことになる。
【００１３】
【発明が解決しようとする課題】
上記の如く、従来の電源装置では、交流電源より負荷に供給する駆動電流をスイッチ手段で制御する際に、電力ロスが大きかったり、装置としての性能が損なわれるという問題があった。
【００１４】
そこで、本発明は上記の問題に鑑み、交流電源より負荷に供給する駆動電流をスイッチ手段で制御する際に、電力ロスを少なくできかつ電源波形が歪んだ場合でも安定した制御を行え、しかも部品点数を少なくすることができる電源装置、点灯装置及び照明装置を提供することである。
【００１６】
上記の説明において、交流電源の周波数は、５０Ｈz 又は６０Ｈz である。また、スイッチ手段は、トライアックなどによる半導体素子で構成される交流スイッチが用いられる。これらは、以下の説明においても同様である。
【００１９】
請求項１記載の発明による電源装置は、交流電源で駆動される負荷と；トリガパルスの有無に応じてオンオフして前記交流電源より前記負荷に供給する駆動電流を制御するためのスイッチ手段と；前記交流電源の電圧を半波整流する整流部を備え、整流電圧に基づいて安定化直流電圧を得る電源部と；前記整流郁からの半被整流電圧に同期した同期パルスを発生する電源同期部と；を備え、前記電源同期部からの同期パルスに同期した第１のパルスを出力すると共に、前記交流電源の電源周波数として複数の異なった電源周波数がある場合、前記第１のパルスの立ち上がりから短い周期の電源周波数の略１／２周期である所定期間後に立ち上がるとともに、複数の異なった電源周波数の略半波時間後全てに亘る長めのパルス幅を有した第２のパルスを出力し、これら第１，第２のパルスを交互のトリガパルスとして前記スイッチ手段を駆動するパルス発生部を備えた制御部と；を具備したものである。
【００２０】
請求項２記載の発明による電源装置は、交流電源で駆動される負荷と；トリガパルスの有無に応じてオンオフして前記交流電源より前記負荷に供給する駆動電流を制御ずるためのスイッチ手段と；前記交流電源の電圧を半波整流する整流部を備え、整流電圧に基づいて安定化直流電圧を得る電源部と；前記整流部からの半波整流電圧に同期した同期パルスを発生する電源同期部と；を備え、前記電源同期部からの同期パルスに同期した第１のパルスを出力すると共に、前記交流電源の電源周波数として複数の異なった電源周波数がある場合、前記第１のパルスの立ち上がりから短い周期の電源周波数の略１／２周期である所定期間後に立ち上がるとともに、複数の異なった電源周波数の複数の異なった電源周波数の略半波時間後の全てに亘る時間付近で複数個の第２のパルスを出力し、これら第１，第２のパルスを交互のトリガパルスとして前記スイッチ手段を駆動するパルス発生部を備えた制御部と；を具備したものである。
【００２１】
請求項３記載の発明による電源装置は、交流電源で駆動される負荷と；トリガパルスの有無に応じてオンオフして前記交流電源より前記負荷に供給する駆動電流を制御するためのスイッチ手段と；前記交流電源の電圧を半波整流する整流部を備え、整流電圧に基づいて安定化直流電圧を得る電源部と；前記整流部からの半波整流電圧に同期した同期パルスを発生する電源同期部と；を備え、前記電源同期部からの同期パルスに同期した第１のパルスを出力すると共に、前記交流電源の電源周波数として複数の異なった電源周波数がある場合、前記第１のパルスの立ち上がりから短い周期の電源周波数の略１／２周期である所定期間後に立ち上がるとともに、複数の異なった電源周波数のそれぞれの略半波時間後の時間付近で各１個ずつの複数の第２のパルスを出力し、これら第１，第２のパルスを交互のトリガパルスとして前記スイッチ手段を駆動するパルス発生部を備えた制御部と；を具備したものである。
【００２２】
請求項４記載の発明による点灯装置は、前記負荷は電球であって、該電球の電源装置として請求項１〜３のいずれか１つに記載の電源装置を用いたことを特徴とするものである。
【００２３】
請求項５記載の発明による照明装置は、請求項４記載の点灯装置と；この点灯装置における電球が装着される照明器具本体と；を具備したものである。
【００２５】
以上の説明で、電源部では、整流部で交流電源電圧を半波整流する構成とするので、ブリッジ構成のダイオードで全波整流する場合に比べて整流回路の部品点数を削減することができると共に、全波整流電圧に基づいて安定化直流電源を得る場合に比べて必要以上に電力ロスを伴うことがなく電源装置内での不要な消費電流を少なくすることができる。通常、制御部などで必要とする電源としての直流電圧は、５Ｖ程度でよく、この程度の電圧は、交流１００Ｖを全波整流し安定化することにより得なくても、交流１００Ｖを半波整流した後に安定化しても十分に安定した電圧５Ｖを得ることが可能である。
【００２８】
請求項１記載の発明においては、異なった電源周波数５０Ｈz ，６０Ｈz の電源同期パルスに同期した第１のパルスと該第１のパルス（或いは電源同期パルス）からカウンタ部にて時間カウントして所定時間経過した後のタイミングで立ち上がる第２のパルスとで、トリガパルスを形成してスイッチ手段に供給する。しかも、該第２のパルスのパルス幅は、５０，６０Ｈz の両方の交流電源電圧波形の半波時間後のゼロクロス付近をカバーできる幅を有したものであるので、使用される交流電源１０の電源周波数が５０Ｈz の場合でも、６０Ｈz の場合でも、トリガパルス（オンパルス）として共用することができる。従って、第１〜第３の実施の形態における制御部から、周波数判別部を削除した簡単な構成で、５０Ｈz ，６０Ｈz のどちらの交流電源にも対応し得る電源装置を構成することができる。しかも電力ロスが従来と比べて少ないこと、電源部の整流部の構成が半波整流回路で済み部品点数を削減できるなどの利点をも有している。
【００２９】
請求項２記載の発明においては、電源周波数５０Ｈz の場合であっても、６０Ｈz の場合であっても、５０Ｈz ，６０Ｈz の電源同期パルスに同期した第１のパルスと該第１のパルス（或いは電源同期パルス）からカウンタ部にて時間カウントして所定時間経過した後のタイミングで立ち上がる複数個の第２のパルスとで、トリガパルスを形成してスイッチ手段に供給する。しかも、該第２のパルスを構成する複数個のパルス全体の幅は、５０，６０Ｈz の両方の交流電源電圧波形の半波時間後のゼロクロス付近をカバーできる幅を有したものであるので、使用される交流電源１０の電源周波数が５０Ｈz の場合でも、６０Ｈz の場合でも、第２のパルスのうちのどれかパルスがトリガパルス（オンパルス）として作用してスイッチ手段を駆動することができる。
【００３０】
また、交流電源電圧波形が歪んだ場合でも、複数個のパルスで構成される第２のパルスのどれかのパルスによって、その電源電圧のゼロクロス付近でスイッチ手段をオンすることが可能となり、電源電圧波形の全期間に亘ってスイッチ手段を導通させることが可能となる。その結果、交流電源からの交流電源電圧が部分的に制限されることなく負荷の例えば電球に供給されることになり、点滅したり明るさの低下を招いたりする不具合を生じるのを防止することができる。
【００３１】
しかも電力ロスが従来と比べて少ないこと、電源部の整流部の構成が半波整流回路で済み部品点数を削減できるなどの利点を有することは、請求項１の発明と同様である。
【００３２】
請求項３記載の発明においては、電源周波数５０Ｈz の場合であっても、６０Ｈz の場合であっても、５０Ｈz ，６０Ｈz の電源同期パルスに同期した第１のパルスと該第１のパルス（或いは電源同期パルス）からカウンタ部にて時間カウントして各電源周波数に対応した所定時間経過した後のタイミングで立ち上がる複数（実際には５０Ｈz ，６０Ｈz 用の２つ）のパルスからなる第２のパルスとを常時発生して、これら第１，第２のパルスでトリガパルスを形成してスイッチ手段に供給する。しかも、該第２のパルスを構成する各パルスの幅は、５０，６０Ｈz のそれぞれの交流電源電圧波形の半波時間後のゼロクロス付近をカバーできる長めの幅を有しており、使用される交流電源の電源周波数が５０Ｈz の場合でも、６０Ｈz の場合でも、その電源周波数にかかわらずトリガパルス（オンパルス）として常時使用することができる。
【００３３】
制御部から周波数判別部を削除した簡単な構成で、５０Ｈz ，６０Ｈz のどちらの交流電源にも対応し得る電源装置を構成することができる。
【００３４】
また、交流電源電圧が歪んだ場合でも、各電源周波数の場合で、複数個のパルスで構成される第２のパルスの一方のパルス（長めのパルス）によって、その電源電圧のゼロクロス付近でスイッチ手段をオンすることが可能となり、電源電圧波形の全期間に亘ってスイッチ手段を導通させることが可能となる。その結果、交流電源からの交流電源電圧が部分的に制限されることなく負荷の例えば電球に供給されることになり、点滅したり明るさの低下を招いたりする不具合を生じるのを防止することができる。
【００３５】
しかも電力ロスが従来と比べて少ないこと、電源部の整流部の構成が半波整流回路で済み部品点数を削減できるなどの利点を有することは、請求項１〜５の発明と同様である。
【００３６】
請求項４記載の発明においては、点灯装置として請求項１〜３の発明に示した電源装置が用いられるので、電力ロスが少なく部品数も少なくて済む点灯装置を実現できる。
【００３７】
請求項５記載の発明においては、照明装置として請求項４の発明に示した点灯装置が用いられるので、電力ロスが少なく部品数も少なくて済む照明装置を実現できる。
【００３８】
【発明の実施の形態】
発明の実施の形態について図面を参照して説明する。
図１は、本発明の第１の実施の形態の電源装置を示すブロック図である。
【００３９】
図１において、符号１０は、商用交流電源（ＡＣ）であり、電圧（実効値）が例えば１００Ｖで電源周波数が５０Ｈz又は６０Ｈzのものである。交流電源１０からの２本の電源ラインの一方はトライアック等の半導体スイッチで構成されるスイッチ手段２０を介して負荷３０の一方の端子３０ａに接続されている。負荷３０としては、例えば電球が用いられる。また、交流電源１０からの２本の電源ラインのもう一方（即ちアースライン）は電源部４０を介して負荷３０のもう一方の端子３０ｂに接続されている。
【００４０】
電源部４０は、交流電源１０の電圧を半波整流する整流部を備え、その整流電圧に基づいて安定化直流電圧を得る構成となっている。電源同期部５０は、電源部１０内の整流部からの半波整流電圧を入力し、その半波整流電圧波形がゼロクロス近傍まで下降したことを検出し、その検出タイミングに同期して同期パルス（即ち電源周期のパルス）を発生して、制御部６０に供給している。
【００４１】
制御部６０は、前記電源部４０からの直流電圧を電源として動作する、例えばマイクロコンピュータで構成されており、電源同期部５０からの同期パルスに基づいて交流電源１０の電源周波数を判別する周波数判別部と、該周波数判別部からの電源周波数に対応した判別出力に対応して、電源同期部５０からの同期パルスから半波時間後を算出するカウンタ部と、電源同期部５０からの同期パルスに同期した第１のパルスを出力すると共に、前記カウンタ部からの電源周波数に対応した半波時間後の時間に比較的短い所定のパルス幅を有した第２のパルスを出力し、これら第１，第２のパルスを交互のトリガパルス（オンパルス）として出力するパルス発生部とを備えており、トライアックで構成される前記スイッチ手段２０を電源周期の１／２周期（即ち、交流電源周波数が５０Ｈzの場合は１０mｓ、６０Ｈzの場合は約８．３mｓ）ごとにトリガすることにより、交流電源１０から交流波形電圧を負荷３０である例えば電球に供給して、これを点灯させる。なお、制御部６０からのトリガパルスの出力タイミングをシフトすることにより、負荷３０としての電球を調光制御することが可能であり、また制御部６０から出力されるトリガパルスを停止させれば、スイッチ手段２０が常時オフするので電球を消灯状態に制御することができる。
【００４２】
次に、図２の波形図を参照して、図１の回路動作を説明する。図２において、（Ａ），（Ｊ），（Ｋ），（Ｎ）は交流電源（ＡＣ）１０が５０Ｈz の場合の波形であり、（Ｂ），（Ｌ），（Ｍ），（Ｐ）は６０Ｈz の場合の波形である。交流電源１０が例えば５０Ｈz の場合、電源部４０の整流部から電源同期部５０へ供給される半波整流電圧波形は、図２（Ｊ）に示すようになり、電源同期部５０からは図２（Ｋ）に示すような電源周期の同期パルスが出力され、制御部６０に供給される。制御部６０では、周波数判別部において電源同期部５０からの同期パルスの周期に基づいて電源周波数を判別し、例えば５０Ｈzと判別すると、その判別結果に対応して、図２（Ｋ）の同期パルスの立ち下がりのタイミングでこの同期パルスに同期した図２（Ｎ）の実線に示すような電源周期（５０Ｈzの場合は周期２０ms、６０Ｈzの場合は約１６．７ms）の第１のパルスを出力する一方、この第１パルスの立ち上がり（或いは前記同期パルスの立ち下がり）から半波時間後の時間に図２（Ｎ）の点線にて示すような比較的短い所定幅の第２のパルスを出力する。従って、制御部６０からは、これら第１，第２のパルスを交互のトリガパルスとしてスイッチ手段２０に供給する。このトリガパルスにより、スイッチ手段２０を構成するトライアックのゲートにゲート電流が供給されてスイッチ手段２０がオン状態となって図２（Ａ）に示す交流電源電圧が負荷３０に供給される。交流電源電圧は正又は負の方向に山形状に増加するので、つぎのゼロクロスポイント近辺になるまでスイッチ手段２０のオン状態が維持され、ゼロクロス直後に再びゲートトリガパルスが周期的に供給されるので、図示のトリガパルスの例では、スイッチ手段２０がほぼ常時オンし続け、負荷３０には、常時、交流電源１０からほぼ全期間に亘って電源電圧が供給される。その結果、負荷３０としての電球は全光（調光されない状態）で点灯し続ける。
【００４３】
６０Ｈz の場合も、図２（Ｂ），（Ｌ），（Ｍ），（Ｐ）に示されるように電源周期が短くなるだけであり、上記の５０Ｈzの場合の動作と同様である。
【００４４】
上記のように、電源部４０では、整流部で交流電源電圧を半波整流する構成とするので、ブリッジ構成のダイオードで全波整流する場合に比べて整流回路の部品点数を削減することができると共に、整流部からの全波整流電圧に基づいて安定化直流電源を得る場合に比べて必要以上に電力ロスを伴うことがなく装置内での不要な消費電流を少なくすることができる。これは、通常、制御部６０などで必要とする電源としての直流電圧は、５Ｖ程度でよく、この程度の電圧は、交流１００Ｖを全波整流し安定化することにより得なくても、その代わりに交流１００Ｖを半波整流した後に安定化しても十分に安定した電圧５Ｖを得ることが可能であるためである。一方、制御部６０には、従来と比べて電源同期部５０からの同期パルスの周期を測定する周波数判別部や、第１のパルスに基づいて第２のパルスを発生するために時間測定を行うカウンタ部を要するが、これら周波数判別部及びカウンタ部の各手段は、従来より制御部として用いられているマイクロコンピュータ内に構築できるため、特に部品を増やすことなく構成できるものである。
【００４５】
なお、図１の制御部６０では、電源同期部５０からの同期パルスに基づきこれに同期した第１のパルスを発生する一方電源同期部５０からの同期パルスからカウンタ部にて半波時間後を算出する動作を行い、その算出値に基づいて半波時間後に第２のパルスを発生させるように構成している。しかし、このような構成であると、図２（Ａ）の一点鎖線Ｗ1 のように交流電源の電圧波形が乱れ歪んだりした場合、その半波整流電圧の波形も図２（Ｊ）の一点鎖線Ｗ2 のように山部分からゼロクロスに到達するタイミングがシフトし、このため図２（Ｎ）に示す第１のパルスから常に一定時間間隔（５０Ｈz の場合１０ms）離れて作成される第２のパルスとタイミングが一致しなくなり、スイッチ手段２０が第２のパルスをトリガとしてオンし、図２（Ａ）のＷ1の波形を有する交流電源電圧の正側（＋）がスイッチ手段２０を通過してゼロクロスに至ると、トライアックで構成されるスイッチ手段２０を通過する電流がトライアック保持電流以下となってスイッチ手段２０はオフし、しかもその時点（Ｗ1のゼロクロス）ではトリガパルスとしての第２のパルスはタイミング的に存在しないのでスイッチ手段２０はオフ状態を持続し、結果として交流電源電圧の負側（−）はスイッチ手段２０にてカットされることになる。その結果、交流電源１０からの交流電源電圧は部分的に制限されて負荷３０としての例えば電球に供給されることになり、点滅したり明るさの低下を招いたりする不具合を生じる可能性がある。このような不具合は、電源電圧波形が乱れた場合のほか、複数の電源装置間で制御部６０内のカウンタ部における時間測定にばらつきがあるために第２のパルスの発生タイミングが装置毎にばらつく場合にも生じ得るものである。そこで、制御部６０における第２のパルスの発生形態を変えた実施の形態を、以下に説明する。
【００４６】
図３は、本発明の第２の実施の形態の電源装置の動作を説明する波形図である。  本実施の形態では、装置構成は図１と同様であるが、図１における制御部６０のパルス発生手段（図示略）において発生する第２のパルスの発生タイミングを第１のパルス（或いは電源同期パルス）から略半波時間後に設定すると共に、第２のパルスのパルス幅を、図２の実施の形態の場合よりも長めに設定するものである。即ち、本実施の形態では、図１における制御部６０を、電源部４０からの直流電圧を電源として動作し、電源同期部５０からの同期パルスに基づいて交流電源１０の電源周波数を判別する周波数判別部と、周波数判別部からの電源周波数に対応した判別出力に対応して、電源同期部５０からの同期パルスから略半波時間後を算出するカウンタ部と、電源同期部５０からの同期パルスに同期した第１のパルスを出力すると共に、カウンタ部からの電源周波数に対応した略半波時間後の時間付近で長めのパルス幅を有した第２のパルスを出力し、これら第１，第２のパルスを交互のトリガパルスとしてスイッチ手段２０を駆動するパルス発生部とで構成するものである。
【００４７】
このようにすれば、例えば電源周波数５０Ｈz の場合で説明すると、図３（Ａ）の一点鎖線Ｗ1 のように電源電圧波形が歪んだ場合でも、図３（Ｎ）のように長めのパルス幅を有した第２のパルスによって、その電源電圧のゼロクロス付近でスイッチ手段２０をオンすることが可能となり、電源電圧波形の全期間に亘ってスイッチ手段２０を導通させることが可能となる。その結果、交流電源１０からの交流電源電圧が部分的に制限されることなく負荷３０としての例えば電球に供給されることになり、点滅したり明るさの低下を招いたりする不具合を生じるのを防止することができる。
【００４８】
６０Ｈz の場合も、図３（Ｂ），（Ｐ）に示されるように電源周期が短くなるだけであり、上記の５０Ｈzの場合の動作と同様であり、同様の効果が得られる。
【００４９】
図４は、本発明の第３の実施の形態の電源装置の動作を説明する波形図である。  本実施の形態では、装置構成は図１と同様であるが、図１における制御部６０のパルス発生手段（図示略）において発生する第２のパルスの発生タイミングを第１のパルス（或いは電源同期パルス）から略半波時間後に設定すると共に、第２のパルスを、略半波時間後の付近で複数個発生するものである。即ち、本実施の形態では、図１における制御部６０を、電源部４０からの直流電圧を電源として動作し、電源同期部５０からの同期パルスに基づいて交流電源１０の電源周波数を判別する周波数判別部と、周波数判別部からの電源周波数に対応した判別出力に対応して、電源同期部５０からの同期パルスから略半波時間後を算出するカウンタ部と、電源同期部５０からの同期パルスに同期した第１のパルスを出力すると共に、カウンタ部からの電源周波数に対応した略半波時間後の時間付近で複数個の第２のパルスを出力し、これら第１，第２のパルスを交互のトリガパルスとしてスイッチ手段２０を駆動するパルス発生部とで構成するものである。このとき、第２のパルスを構成する個々のパルスのパルス幅は、図３のように長めの幅にすることを要しない。
【００５０】
このようにすれば、例えば電源周波数５０Ｈz の場合で説明すると、図４（Ａ）の一点鎖線Ｗ1 のように電源電圧波形が歪んだ場合でも、図４（Ｎ）のように複数個のパルスで構成される第２のパルスのどれかのパルスによって、その電源電圧のゼロクロス付近でスイッチ手段２０をオンすることが可能となり、電源電圧波形の全期間に亘ってスイッチ手段２０を導通させることが可能となる。その結果、交流電源１０からの交流電源電圧が部分的に制限されることなく負荷３０としての例えば電球に供給されることになり、点滅したり明るさの低下を招いたりする不具合を生じるのを防止することができる。
【００５１】
６０Ｈz の場合も、図４（Ｂ），（Ｐ）に示されるように電源周期が短くなるだけであり、上記の５０Ｈz の場合の動作と同様であり、同様の効果が得られる。
【００５２】
以上述べた第１〜第３の実施の形態では、制御部６０内に周波数判別部を有して、電源同期部５０からの同期パルスに基づいて交流電源１０の電源周波数を判別し（５０Ｈz か６０Ｈz かの判別を行い）、５０Ｈz 又は６０Ｈz の各場合に応じて、それぞれの電源同期パルスに基づいた第１のパルスと、それぞれの電源同期パルスに基づいた第２のパルスを発生するものであったが、周波数判別部を設けることなく交流電源１０の電源周波数にかかわらず５０Ｈz ，６０Ｈz の両方に対応し得る第２のパルスを略半波時間後に発生させることも可能である。そこで、電源周波数にかかわらず５０Ｈz ，６０Ｈz の両方に対応し得るように、制御部６０における第２のパルスの発生形態を変えた実施の形態を、以下に説明する。
【００５３】
図５は本発明の第４の実施の形態の電源装置を示すブロック図である。
図５の実施の形態では、ブロック構成は図１と同様であるが、本実施の形態の制御部６０Ａは、図１の実施の形態の制御部６０における周波数判別部は削除されており、制御部６０Ａ内のパルス発生手段（図示略）において発生する第２のパルスの発生タイミングを、５０Ｈz ，６０Ｈz にかかわらず第１のパルス（或いは電源同期パルス）から略半波時間後の所定時間経過後に設定すると共に、第２のパルスを、複数の異なった電源周波数（５０Ｈz ，６０Ｈz ）の略半波時間後全てに亘る長めのパルス幅で発生する構成とするものである。その他の構成は、図１と同様である。
【００５４】
即ち、制御部６０Ａは、電源部４０からの直流電圧を電源として動作する、例えばマイクロコンピュータで構成されており、電源同期部５０からの短い周期の方の（即ち６０Ｈz の方の）同期パルスから略半波時間後を算出するカウンタ部と、電源同期部５０からの同期パルスに同期した第１のパルスを出力すると共に、交流電源１０の電源周波数として複数の異なった電源周波数（ここでは５０Ｈz ，６０Ｈz の２つの周波数）がある場合、いずれの電源周波数の場合であってもそのときの電源同期パルスの立ち上がりから所定時間ｔ1 ，ｔ2 経過後（ただしｔ1 ＝ｔ2 ＝ｔで、時間ｔは６０Ｈz の電源同期パルスの１／２周期とほぼ同等である）に立ち上がり、５０Ｈz ，６０Ｈz 両方の電源周波数の略半波時間後全てをカバーできる長めのパルス幅を有した第２のパルスを出力し、これら第１，第２のパルスを交互のトリガパルスとしてスイッチ手段２０を駆動するパルス発生部とで構成されている。
【００５５】
このようにすれば、電源周波数５０Ｈz の場合であっても、６０Ｈz の場合であっても、図６（Ｎ），（Ｐ）に示すように、図６（Ｋ），（Ｍ）に示す５０Ｈz ，６０Ｈz の電源同期パルスに同期した第１のパルスと該第１のパルス（或いは電源同期パルス）からカウンタ部にて時間カウントして所定時間ｔ1 又はｔ2 （ただしｔ1 ＝ｔ2 ）経過した後のタイミングで立ち上がる第２のパルスとで、トリガパルスを形成してスイッチ手段２０に供給される。しかも、該第２のパルスのパルス幅は、５０，６０Ｈz の両方の交流電源電圧波形の半波時間後のゼロクロス付近をカバーできる幅を有したものであるので、使用される交流電源１０の電源周波数が５０Ｈz の場合でも、６０Ｈz の場合でも、トリガパルス（オンパルス）として共用することができる。従って、図１〜図４の実施の形態とは異なり、制御部から周波数判別部を削除した簡単な構成で、５０Ｈz ，６０Ｈz のどちらの交流電源にも対応し得る電源装置を構成することができる。しかも電力ロスが従来と比べて少ないこと、電源部の整流部の構成が半波整流回路で済み部品点数を削減できるなどの利点を有することは、図１〜図４の実施の形態と同様である。
【００５６】
図７は、本発明の第５の実施の形態の電源装置の動作を説明する波形図である。  本実施の形態では、装置構成は図５と同様であるが、制御部６０Ａ内のパルス発生手段（図示略）において発生する第２のパルスの発生タイミングを、５０Ｈz ，６０Ｈz にかかわらず第１のパルス（或いは電源同期パルス）から略半波時間後に相当する所定時間経過後に設定すると共に、第２のパルスを、複数の異なった電源周波数（５０Ｈz ，６０Ｈz ）の略半波時間後全てに亘る時間付近で複数個発生する構成とするものである。その他の構成は、図５の実施の形態と同様である。
【００５７】
即ち、制御部６０Ａは、電源部４０からの直流電圧を電源として動作する、例えばマイクロコンピュータで構成されており、電源同期部５０からの短い周期の方の（即ち６０Ｈz の方の）同期パルスから略半波時間後を算出するカウンタ部と、電源同期部５０からの同期パルスに同期した第１のパルスを出力すると共に、交流電源１０の電源周波数として複数の異なった電源周波数（ここでは５０Ｈz ，６０Ｈz の２つの周波数）がある場合、いずれの電源周波数の場合であってもそのときの電源同期パルスの立ち上がりから所定時間ｔ1 ，ｔ2 経過後（ただしｔ1 ＝ｔ2 ＝ｔで、時間ｔは６０Ｈz の電源同期パルスの１／２周期とほぼ同等である）に立ち上がり、５０Ｈz ，６０Ｈz 両方の電源周波数の略半波時間後全てをカバーできる時間付近で複数個の短めのパルスからなる第２のパルスを出力し、これら第１，第２のパルスを交互のトリガパルスとしてスイッチ手段２０を駆動するパルス発生部とで構成されている。
【００５８】
このようにすれば、電源周波数５０Ｈz の場合であっても、６０Ｈz の場合であっても、図７（Ｎ），（Ｐ）に示すように、図７（Ｋ），（Ｍ）に示す５０Ｈz ，６０Ｈz の電源同期パルスに同期した第１のパルスと該第１のパルス（或いは電源同期パルス）からカウンタ部にて時間カウントして所定時間ｔ1 又はｔ2 （ただしｔ1 ＝ｔ2 ）経過した後のタイミングで立ち上がる複数個の第２のパルスとで、トリガパルスを形成してスイッチ手段２０に供給される。しかも、該第２のパルスを構成する複数個のパルス全体の幅は、５０，６０Ｈz の両方の交流電源電圧波形の半波時間後のゼロクロス付近をカバーできる幅を有したものであるので、使用される交流電源１０の電源周波数が５０Ｈz の場合でも、６０Ｈz の場合でも、トリガパルス（オンパルス）として共用することができる。このとき、第２のパルスを構成する個々のパルスのパルス幅は、図６のように長めの幅にすることを要しない。
【００５９】
従って、図１〜図４の実施の形態とは異なり、制御部から周波数判別部を削除した簡単な構成で、５０Ｈz ，６０Ｈz のどちらの交流電源にも対応し得る電源装置を構成することができる。しかも電力ロスが従来と比べて少ないこと、電源部の整流部の構成が半波整流回路で済み部品点数を削減できるなどの利点を有することは、図１〜図４の実施の形態と同様である。
【００６０】
また、例えば電源周波数５０Ｈz の場合で説明すると、図７（Ａ）の一点鎖線Ｗ1 のように電源電圧波形が歪んだ場合でも、図７（Ｎ）のように複数個のパルスで構成される第２のパルスのどれかのパルスによって、その電源電圧のゼロクロス付近でスイッチ手段２０をオンすることが可能となり、電源電圧波形の全期間に亘ってスイッチ手段２０を導通させることが可能となる。その結果、交流電源１０からの交流電源電圧が部分的に制限されることなく負荷３０の例えば電球に供給されることになり、点滅したり明るさの低下を招いたりする不具合を生じるのを防止することができる。
【００６１】
図８は、本発明の第６の実施の形態の電源装置の動作を説明する波形図である。  本実施の形態では、装置構成は図５と同様であるが、制御部６０Ａ内のパルス発生手段（図示略）において発生する第２のパルスの発生タイミングを、５０Ｈz ，６０Ｈz にかかわらず第１のパルス（或いは電源同期パルス）から周期の短い方（つまり６０Ｈz の方）の略半波時間後に相当する所定時間経過後に設定すると共に、第２のパルスを、複数の異なった電源周波数（５０Ｈz ，６０Ｈz ）の略半波時間後の時間付近で各１個ずつ複数個（５０Ｈz ，６０Ｈz 用の２つ）発生する構成とするものである。その他の構成は、図５の実施の形態と同様である。
【００６２】
即ち、制御部６０Ａは、電源部４０からの直流電圧を電源として動作する、例えばマイクロコンピュータで構成されており、電源同期部５０からの短い周期の方の（即ち６０Ｈz の方の）同期パルスから略半波時間後を算出するカウンタ部と、電源同期部５０からの同期パルスに同期した第１のパルスを出力すると共に、交流電源１０の電源周波数として複数の異なった電源周波数（ここでは５０Ｈz ，６０Ｈz の２つの周波数）がある場合、いずれの電源周波数の場合であってもそのときの電源同期パルスの立ち上がりから所定時間ｔ1 ，ｔ2 経過後（ただしｔ1 ＝ｔ2 ＝ｔで、時間ｔは６０Ｈz の電源同期パルスの１／２周期とほぼ同等である）に立ち上がり、５０Ｈz ，６０Ｈz 両方の電源周波数の略半波時間後の時間付近で各１個ずつの２つの長めのパルスからなる第２のパルスを出力し、これら第１，第２のパルスを交互のトリガパルスとしてスイッチ手段２０を駆動するパルス発生部とで構成されている。
【００６３】
このようにすれば、電源周波数５０Ｈz の場合であっても、６０Ｈz の場合であっても、図８（Ｎ），（Ｐ）に示すように、図８（Ｋ），（Ｍ）に示す５０Ｈz ，６０Ｈz の電源同期パルスに同期した第１のパルスと該第１のパルス（或いは電源同期パルス）からカウンタ部にて時間カウントして所定時間ｔ1 又はｔ2 （ただしｔ1 ＝ｔ2 ）経過した後のタイミングで立ち上がる複数個の第２のパルスとで、トリガパルスを形成してスイッチ手段２０に供給される。しかも、該第２のパルスを構成する各パルスの幅は、５０，６０Ｈz の両方の交流電源電圧波形の半波時間後のゼロクロス付近をカバーできる長めの幅を有したものであるので、使用される交流電源１０の電源周波数が５０Ｈz の場合でも、６０Ｈz の場合でも、トリガパルス（オンパルス）として共用することができる。このとき、第２のパルスを構成する個々のパルスのパルス幅は、図６に比べて長めの幅にすることを要しない。
【００６４】
従って、図１〜図４の実施の形態とは異なり、制御部から周波数判別部を削除した簡単な構成で、５０Ｈz ，６０Ｈz のどちらの交流電源にも対応し得る電源装置を構成することができる。しかも電力ロスが従来と比べて少ないこと、電源部の整流部の構成が半波整流回路で済み部品点数を削減できるなどの利点を有することは、図１〜図４の実施の形態と同様である。
【００６５】
また、例えば電源周波数５０Ｈz の場合で説明すると、図８（Ａ）の一点鎖線Ｗ1 のように電源電圧波形が歪んだ場合でも、図８（Ｎ）のように複数個のパルスで構成される第２のパルスのどれかのパルスによって、その電源電圧のゼロクロス付近でスイッチ手段２０をオンすることが可能となり、電源電圧波形の全期間に亘ってスイッチ手段２０を導通させることが可能となる。その結果、交流電源１０からの交流電源電圧が部分的に制限されることなく負荷３０の例えば電球に供給されることになり、点滅したり明るさの低下を招いたりする不具合を生じるのを防止することができる。
【００６６】
図９に、図１の電源装置の具体的な回路図を示す。
図９において、コネクタＣＮ1 には、ＡＣ入力端子、負荷への出力端子が設けられており、ＡＣ入力はダイオードＤ1 で構成される半波整流部を経て、抵抗Ｒ1 ，Ｒ2 ，Ｒ22，ツェナダイオードＺＤ3 ，平滑コンデンサＣ1 ，コンデンサＣ2 の定電圧回路、及び抵抗Ｒ3 ，Ｒ4 ，トランジスタＱ1 ，ツェナダイオードＺＤ1 ，平滑コンデンサＣ3 のシリーズレギュレータによる直流安定化回路に供給され、出力として安定化直流電圧が取り出され、電源端子４１から制御部６０などの直流電源として使用されるようになっている。
【００６７】
ＡＣ入力ラインの一方は、トライアックＱ3 ，フォトカプラＩＣ4 の受光素子（トリガ用ダイアック），コンデンサＣ11，抵抗Ｒ17，直流電源ラインに直列接続した抵抗Ｒ16，及び前記フォトカプラＩＣ4 の発光素子（発光ダイオード）で構成されるスイッチ手段２０を介して前記コネクタＣＮ1 の負荷出力端子へ接続している。また、同じＡＣ入力ラインの一方は、抵抗Ｒ23を介してコネクタＣＮ2 の調光用続端子（ＤＩＭ）に接続している。ＤＩＭには、図示しない調光器が接続するようになっている。
【００６８】
前記コネクタＣＮ1 には、図示しない交流電源１０が接続すると共に図示しない負荷３０が接続している。
【００６９】
電源部４０の一部を構成する半波整流部（Ｄ1 ）の出力は、電源同期部５０に供給されている。電源同期部５０は、ダイオードＤ1 ，抵抗Ｒ5 ，ツェナダイオードＺＤ2 ，抵抗Ｒ6 ，Ｒ7 ，Ｒ8 ，コンデンサＣ5 ，トランジスタＱ2 ，コンデンサＣ6 ，抵抗Ｒ9 で構成され、半波整流電圧の正電圧（＋）の期間のみツェナダイオードＺＤ2 がオンし、その正電圧がトランジスタＱ2 のベースに供給されてＱ2 がオンし、その期間、電源同期出力は基準電位（ＧＮＤ）となり、半波整流電圧の基準電位の期間は、ＺＤ2 はオフし、Ｑ2 もオフして、電源同期出力は直流電源端子から与えられる直流電圧（例えば５Ｖ）に保持される。従って、電源同期部５０から出力される電源同期パルスとしては、図２（Ｋ）又は図２（Ｍ）に示すような電源周期のパルスが得られる。
【００７０】
制御部６０は、マイクロコンピュータＩＣ1 をリセットするためのＩＣ2 と、停電等の電源が遮断されたときのバックアップメモリである集積回路ＩＣ3 等から構成されている。ＩＣ2 の周辺には、抵抗Ｒ10，コンデンサＣ7 ，抵抗Ｒ24，コンデンサＣ9 が接続されている。
【００７１】
ＩＣ2 の動作用電源は、Ｑ1 ，ＺＤ1 ，Ｒ3 ，Ｒ4 を介して供給されている。
【００７２】
また、ＩＣ1 には、電源同期部５０からの電源同期パルスが供給され、さらにＩＣ1 には、抵抗Ｒ11，コンデンサＣ8 による時定数回路が接続され、しかも集積回路ＩＣ3 ，抵抗Ｒ15，コンデンサＣ10が外部接続されている。ＩＣ1 の一端子は、抵抗Ｒ18，Ｒ20及びトランジスタＱ4 からなるスイッチ手段のＱ4 ベースに接続し、ＩＣ1 から調光器電源ラインをオン／オフするための制御信号がＱ4 に供給されるようになっている。また、ＩＣ1 の別の一端子は、抵抗Ｒ19，Ｒ21及びトランジスタＱ5 からなるスイッチ手段のＱ4 ベースに接続し、ＩＣ1 のオン／オフ状態を示す信号をコネクタＣＮ2 のＯＮ／ＯＦＦ端子から出力し得るようになっている。
【００７３】
このように制御部６０には、電源同期部５０から前述したような電源同期パルスが与えられると共に、コネクタＣＮ2 に設けられているオン／オフ出力端子（ＯＮ／ＯＦＦ）に制御部６０内のマイクロコンピュータＩＣ1 が動作しているか否かを示すオン／オフ信号を出力し、またＣＮ2 のプルスイッチ入力端子（ＰＵＬＬＳＷ）へは図示しないプルスイッチからのプルスイッチ制御信号（オン／オフ信号）が与えられ、前記コンデンサＣ7 を介してマイクロコンピュータＩＣ1 の一端子に与えられる。マイクロコンピュータＩＣ1 が動作しているときは、ＩＣ1 は図２〜図４で述べた第１，第２のパルスによるトリガパルスに相当する負パルスを発生し、これによって前記スイッチ手段２０のフォトカプラＩＣ4 の発光ダイオードを導通させ、トライアックＱ3 をオンさせることができるようになっている。
【００７４】
なお、以上述べた実施の形態で、負荷３０を電球とした場合の電源装置は、点灯装置と言い換えることができる。
【００７５】
図１０は、図１〜図９で説明した電源装置における負荷を電球とした場合の点灯装置を搭載した照明装置を示す斜視図である。カバー部分のみを分解した状態を示している。
【００７６】
図１０において、照明装置３００は、天井等に取り付けられた照明器具本
体３０１と、この照明器具本体３０１に装着されるカバー３０２とで構成されている。照明器具本体３０１には、その外面に円形の蛍光灯３０１ａ，３０１ｂが装着されており、これらの蛍光灯の略中央部分に常夜灯として用いられる豆球３０１ｃが装着されている。さらに、照明器具本体３０１の外周上にはプルスイッチ用の操作ひも３０１ｄが取り付けられている。
【００７７】
そして、照明器具本体３０１の内部には、蛍光灯３０１ａ，３０１ｂを点灯するためのインバータ装置４００と、豆球３０１ｃを点灯するための点灯装置５００が配設されている。この点灯装置５００として図１〜図９に示した電源装置が用いられるので、電力ロスが少なく部品数も少なくて済む点灯装置及び照明装置を実現できる。
【００８１】
【発明の効果】
請求項１の発明によれば、異なった電源周波数の電源同期パルスに同期した第１のパルスと該第１のパルスから電源周波数にかかわらず常に一定時間後に立ち上がる第２のパルスを発生させ、しかも該第２のパルスのパルス幅は、５０，６０Ｈz の両方の交流電源電圧波形の半波時間後のゼロクロス付近をカバーできる幅を有したものであるので、交流電源の電源周波数にかかわらず、トリガパルス（オンパルス）として共用することができる。従って、制御部から、周波数判別部を削除した簡単な構成とすることができ、しかも５０Ｈz ，６０Ｈz のどちらの交流電源にも対応し得る電源装置を構成することができる。電力ロスが従来と比べて少ないこと、電源部の整流部の構成が半波整流回路で済み部品点数を削減できるなどの利点をも有している。
【００８２】
請求項２の発明によれば、異なった電源周波数の電源同期パルスに同期した第１のパルスと該第１のパルスから電源周波数にかかわらず常に所定時間経過した後のタイミングで立ち上がる複数個のパルスからなる第２のパルスとを発生し、しかも該第２のパルスを構成する複数個のパルス全体の幅は、５０，６０Ｈz の両方の交流電源電圧波形の半波時間後のゼロクロス付近をカバーできる幅を有したものであるので、交流電源の電源周波数にかかわらず、第２のパルスのうちのどれかパルスがトリガパルス（オンパルス）として作用してスイッチ手段を駆動することができる。
【００８３】
また、交流電源電圧波形が歪んだ場合でも、複数個のパルスで構成される第２のパルスのどれかのパルスによって、その電源電圧のゼロクロス付近でスイッチ手段をオンすることが可能となり、電源電圧波形の全期間に亘ってスイッチ手段を導通させるので、交流電源電圧が部分的に制限されることなく負荷としての例えば電球に供給されることになり、点滅したり明るさの低下を招いたりする不具合を生じるのを防止することができる。電力ロスが従来と比べて少ないこと、電源部の整流部の構成が半波整流回路で済み部品点数を削減できるなどの利点をも有する。
【００８４】
請求項３の発明によれば、異なった電源周波数の電源同期パルスに同期した第１のパルスと該第１のパルスから各電源周波数に対応した所定時間経過した後のタイミングで立ち上がる複数（実際には２つ）のパルスからなる第２のパルスとを常時発生して、しかも該第２のパルスを構成する各パルスの幅は、それぞれの交流電源電圧波形の半波時間後のゼロクロス付近をカバーできる長めの幅を有しており、交流電源の電源周波数にかかわらず、トリガパルス（オンパルス）として共用することができる。
【００８５】
制御部から周波数判別部を削除した簡単な構成で、５０Ｈz ，６０Ｈz のどちらの交流電源にも対応し得る電源装置を構成することができる。
【００８６】
また、交流電源電圧が歪んだ場合でも、各電源周波数の場合で、複数個のパルスで構成される第２のパルスの一方のパルス（長めのパルス）によって、その電源電圧のゼロクロス付近でスイッチ手段をオンすることが可能となり、電源電圧波形の全期間に亘ってスイッチ手段を導通させるので、交流電源電圧が部分的に制限されることなく負荷の例えば電球に供給されることになり、点滅したり明るさの低下を招いたりする不具合を生じるのを防止することができる。電力ロスが従来と比べて少ないこと、電源部の整流部の構成が半波整流回路で済み部品点数を削減できるなどの利点をも有している。
【００８７】
請求項４の発明によれば、点灯装置として請求項１〜３の発明に示した電源装置が用いられるので、電力ロスが少なく部品数も少なくて済む点灯装置を実現することができる。
【００８８】
請求項５の発明によれば、照明装置として請求項４の発明に示した点灯装置が用いられるので、電力ロスが少なく部品数も少なくて済む照明装置を実現することができる。
【図面の簡単な説明】
【図１】本発明に係る第１の実施の形態の電源装置のブロック図。
【図２】本発明に係る第１の実施の形態の電源装置の動作を説明する波形図。
【図３】本発明に係る第２の実施の形態の電源装置の動作を説明する波形図。
【図４】本発明に係る第３の実施の形態の電源装置の動作を説明する波形図。
【図５】本発明に係る第４の実施の形態の電源装置を示すブロック図。
【図６】本発明に係る第４の実施の形態の電源装置の動作を説明する波形図。
【図７】本発明に係る第５の実施の形態の電源装置の動作を説明する波形図。
【図８】本発明に係る第６の実施の形態の電源装置の動作を説明する波形図。
【図９】図１の電源装置の具体的な回路図。
【図１０】本発明に係る点灯装置を搭載した照明装置を示す斜視図。
【図１１】従来の電源装置を示すブロック図。
【図１２】図１１の装置の動作を説明する波形図。
【符号の説明】
１０…交流電源
２０…スイッチ手段
３０…負荷
４０…電源部
５０…電源同期部
６０…制御部
６０Ａ…制御部
【図１】
0003740774.tif 000002
【図２】
0003740774.tif 000003
【図３】
0003740774.tif 000004
【図４】
0003740774.tif 000005
【図５】
0003740774.tif 000006
【図６】
0003740774.tif 000007
【図７】
0003740774.tif 000008
【図８】
0003740774.tif 000009
【図９】
0003740774.tif 000010
【図１０】
0003740774.tif 000011
【図１１】
0003740774.tif 000012
【図１２】
0003740774.tif 000013